(57)【特許請求の範囲】
【請求項１】
予め設定された他の通信装置との間で互いが受信不可状態になったとき相互に代行受信を行う通信装置であって、
前記他の通信装置との通信を行うための回線が接続された通信部と、
自らの受信時における受信可否の判定情報と前記他の通信装置の受信時における受信可否の判定情報とを記憶する記憶部と、
前記通信部を介して前記他の通信装置から受信不可の通知を受けたことを条件として前記記憶部に記憶された前記他の通信装置における受信可否の判定情報を自らの受信時における受信可否の判定時に有効とし、受信可否の判定を実行する制御部と、
を備えることを特徴とする通信装置。
【請求項２】
前記制御部は、前記他の通信装置の前記受信可否の判定条件が変更されたことを条件としてその変更された判定条件を前記記憶部に記憶させることを特徴とする請求項１に記載の通信装置。
【請求項３】
前記制御部は、受信不可状態となった時点で自らの受信可否の判定情報を前記通信部を介して前記他の通信装置に通知することを特徴とする請求項１または請求項２に記載の通信装置。
【請求項４】
前記制御部は、前記通信部を介して前記他の通信装置から受信不可解除の通知を受けたことを条件として前記記憶部に記憶された前記他の通信装置における受信可否の判定情報を自らの受信時における受信可否の判定時に無効とし、受信可否の判定を実行することを特徴とする請求項１〜請求項３のいずれか１項に記載の通信装置。
【請求項５】
前記制御部は、前記通信部を介して前記他の通信装置から受信不可解除の通知を受けたことを条件として代行受信中に受信した前記他の通信装置に対する受信情報を受信時と同条件で前記他の通信装置に対して送信することを特徴とする請求項１〜請求項４のいずれか１項に記載の通信装置。
【発明の詳細な説明】
【技術分野】
【０００１】
本発明は、ファクシミリ装置や電話機に代表される通信装置に関する。特に、受信不可状態になったときに他の装置と相互に代行受信を行う通信装置に関する。
【背景技術】
【０００２】
従来、ファクシミリ装置や電話機などの通信装置には受信不可状態になったときに他の装置と相互に代行受信を行う通信装置がある。このような代行受信を行う通信装置の一例を特許文献１に見ることができる。特許文献１に記載されたファクシミリ装置はＩＳＤＮ網からの呼設定要求に対して他の装置が受信不可能なとき、他の装置に代行して受信を行う代行受信部を備えている。
【先行技術文献】
【特許文献】
【０００３】
【特許文献１】特開平５−７２８６号公報
【発明の概要】
【発明が解決しようとする課題】
【０００４】
ここで、ファクシミリ装置などの通信装置にはＦコード送信やパスワード送信などといった特定の送信元からの受信に限定する通信機能を備えたものがある。この通信装置は自らの受信時における受信可否の判定条件を予め記憶、設定し、その判定条件に基づいて受信することにより送信元を限定している。
【０００５】
しかしながら、このような特定の送信元からの受信に限定する通信を行う場合、個々の通信装置が受信可否の判定条件を設定しているので、特許文献１に記載されたファクシミリ装置の代行受信では正常に受信できない可能性が高い。
【０００６】
本発明は上記の点に鑑みなされたものであり、受信不可状態になったときに他の装置と相互に代行受信を行う通信装置において、Ｆコード送信やパスワード送信などといった特定の送信元からの受信に限定する通信を行う場合でも正常に受信することが可能な通信装置を提供することを目的とする。
【課題を解決するための手段】
【０００７】
上記の課題を解決するため、本発明は、予め設定された他の通信装置との間で互いが受信不可状態になったとき相互に代行受信を行う通信装置であって、前記他の通信装置との通信を行うための回線が接続された通信部と、自らの受信時における受信可否の判定情報と前記他の通信装置の受信時における受信可否の判定情報とを記憶する記憶部と、前記通信部を介して前記他の通信装置から受信不可の通知を受けたことを条件として前記記憶部に記憶された前記他の通信装置における受信可否の判定情報を自らの受信時における受信可否の判定時に有効とし、受信可否の判定を実行する制御部と、を備えることとした。
【０００８】
この構成によれば、他の通信装置の受信時における受信可否の判定情報を記憶しているので、自らの受信可否の判定情報に基づく受信に加えて、他の通信装置が受信不可状態になったときに他の通信装置における受信可否の判定情報に基づいて受信することもできるようになる。
【０００９】
また、上記構成の通信装置において、前記制御部は、前記他の通信装置の前記受信可否の判定条件が変更されたことを条件としてその変更された判定条件を前記記憶部に記憶させることとした。
【００１０】
この構成によれば、他の通信装置の受信可否の判定条件が更新されるようになるので、他の通信装置に関して最新の受信可否の判定情報に基づいて受信することができる。
【００１１】
また、上記構成の通信装置において、前記制御部は、受信不可状態となった時点で自らの受信可否の判定情報を前記通信部を介して前記他の通信装置に通知することとした。
【００１２】
この構成によれば、受信不可状態となった時点で自らの受信可否の判定情報が他の通信装置に通知されるので、自らの最新の受信可否の判定情報を他の通信装置が有することになる。
【００１３】
また、上記構成の通信装置において、前記制御部は、前記通信部を介して前記他の通信装置から受信不可解除の通知を受けたことを条件として前記記憶部に記憶された前記他の通信装置における受信可否の判定情報を自らの受信時における受信可否の判定時に無効とし、受信可否の判定を実行することとした。
【００１４】
この構成によれば、例えば他の通信装置で受信不可状態が解除されて正常に戻ったとき、直ちに他の通信装置に関する受信を行わないようにすることができる。
【００１５】
また、上記構成の通信装置において、前記制御部は、前記通信部を介して前記他の通信装置から受信不可解除の通知を受けたことを条件として代行受信中に受信した前記他の通信装置に対する受信情報を受信時と同条件で前記他の通信装置に対して送信することとした。
【００１６】
この構成によれば、例えば他の通信装置で受信不可状態が解除されて正常に戻り受信可能になったとき、他の通信装置に関する代行受信中の受信情報が直ちに他の通信装置に送信される。
【発明の効果】
【００１７】
本発明の構成によれば、受信不可状態になったときに他の装置と相互に代行受信を行う通信装置において、Ｆコード送信やパスワード送信などといった特定の送信元からの受信に限定する通信を行う場合でも正常に受信することが可能な通信装置を提供することができる。
【図面の簡単な説明】
【００１８】
【図１】本発明の実施形態に係る通信装置の一例としての画像形成装置の模型的垂直断面正面図である。
【図２】図１の画像形成装置の構成を示すブロック図と、その画像形成装置、代行受信機、及びサーバ間の通信環境に関する説明図である。
【図３】図１の画像形成装置のファクシミリ通信における代行受信に係る動作を示すフローチャートである。
【発明を実施するための形態】
【００１９】
以下、本発明の実施形態を図１〜図３に基づき説明する。なお、ここでは、本発明の通信装置の一例としてファクシミリ通信機能を搭載した画像形成装置を掲げて説明するものとする。
【００２０】
最初に、本発明の実施形態に係る通信装置としての画像形成装置について、図１及び図２を用いてその構造の概略を説明しつつ、画像出力動作を説明する。図１は画像形成装置の模型的垂直断面正面図、図２は画像形成装置の構成を示すブロック図と、その画像形成装置、代行受信機、及びサーバ間の通信環境に関する説明図である。この画像形成装置は、中間転写ベルトを用いてトナー像を用紙に転写するカラー印刷タイプのものである。
【００２１】
図１に示すように、画像形成装置１の本体２の内部下方には給紙カセット３が配置されている。給紙カセット３はその内部に印刷前のカットペーパーなどの用紙Ｐを積載して収容している。そして、この用紙Ｐは図１において給紙カセット３の左上方に向け、１枚ずつ分離されて送り出される。給紙カセット３は本体２の正面側から水平に引き出すことが可能である。
【００２２】
本体２の内部であって給紙カセット３の左方には第１用紙搬送部４が備えられている。第１用紙搬送部４は本体２の左側面に沿って略垂直に形設されている。そして、第１用紙搬送部４は給紙カセット３から送り出された用紙Ｐを受け取り、本体２の左側面に沿って垂直上方に二次転写部５まで搬送する。
【００２３】
給紙カセット３の上方であって第１用紙搬送部４が形設された本体２の左側面とは反対側の側面である右側面の箇所には手差し給紙部６が備えられている。手差し給紙部６には給紙カセット３に入っていないサイズの用紙や、厚紙、ＯＨＰシートのように１枚ずつ手で送り込みたいものが載置される。
【００２４】
手差し給紙部６の左方には第２用紙搬送部７が備えられている。第２用紙搬送部７は給紙カセット３のすぐ上方にあって、手差し給紙部６から第１用紙搬送部４まで略水平に延びて第１用紙搬送部４に合流している。そして、第２用紙搬送部７は手差し給紙部６から送り出された用紙を受け取り、略水平に第１用紙搬送部４まで搬送する。
【００２５】
一方、画像形成装置１の本体２の上面には原稿搬送装置８が、その下方の本体２内部には画像読取部９が備えられている。ユーザが原稿の複写を行う場合には、文字や図形、模様などの画像が描かれた原稿を、原稿搬送装置８に積載したり、画像読取部９上面の図示しないコンタクトガラス上に載置したりする。原稿搬送装置８では１枚或いは複数枚の原稿が１枚ずつ分離して送り出され、画像読取部９によってその画像が読み取られる。コンタクトガラス上の原稿に対しては、画像読取部９内で光を走査させることによって画像が読み取られる。
【００２６】
原稿画像の読み取り、すなわち画像形成の開始は本体２の上部であって画像読取部９の正面側に備えられた操作パネル１０を用いて実行される。操作パネル１０はユーザによる印刷に使用する用紙の種類やサイズ、部数、拡大縮小、両面印刷の有無といった印刷条件設定や、ファクシミリ通信における送信先設定などを受け付ける。
【００２７】
原稿の画像データの情報は後述の制御部や画像処理部を経由して画像処理が施された後、第２用紙搬送部７の上方であって、本体２の中央部に配置された露光部１１に送られる。露光部１１により、画像データに基づいて制御されたレーザ光Ｌが画像形成部１２に向かって照射される。
【００２８】
露光部１１の上方には計４台の画像形成部１２が、さらにそれら各画像形成部１２の上方には中間転写体を無端ベルトの形で用いた中間転写ベルト１３が備えられている。中間転写ベルト１３は複数のローラに巻き掛けられて支持され、図示しない駆動装置により図１において時計方向に回転する。
【００２９】
４台の画像形成部１２は、図１に示すように中間転写ベルト１３の回転方向に沿って回転方向上流側から下流側に向けて一列にして配置された所謂タンデム方式である。４台の画像形成部１２とは、上流側から順にイエロー用の画像形成部１２Ｙ、マゼンタ用の画像形成部１２Ｍ、シアン用の画像形成部１２Ｃ、及びブラック用の画像形成部１２Ｂである。これらの画像形成部１２には、各色に対応する現像剤供給容器及び搬送手段（図示せず）により現像剤（トナー）が補給される。なお、以下の説明において、特に限定する必要がある場合を除き、画像形成部１２の「Ｙ」「Ｍ」「Ｃ」「Ｂ」の識別記号は省略するものとする。
【００３０】
各画像形成部１２では、露光部１１によって照射されたレーザ光Ｌにより原稿画像の静電潜像が形成され、この静電潜像からトナー像が現像される。トナー像は、各画像形成部１２の上方に備えられた一次転写部１４で、中間転写ベルト１３表面に一次転写される。そして、中間転写ベルト１３の回転とともに所定のタイミングで各画像形成部１２のトナー像が中間転写ベルト１３に転写されることにより、中間転写ベルト１３表面にはイエロー、マゼンタ、シアン、ブラックの４色のトナー像が重ね合わされたカラートナー像が形成される。
【００３１】
中間転写ベルト１３が用紙搬送路に懸かる箇所には二次転写部５が配置されている。中間転写ベルト１３表面のカラートナー像は第１用紙搬送部４によって同期をとって送られてきた用紙Ｐに、二次転写部５に形成される二次転写ニップ部で転写される。
【００３２】
二次転写後、中間転写ベルト１３表面に残留するトナーなどの付着物は中間転写ベルト１３に対してイエロー用の画像形成部１２Ｙの回転方向上流側に設けられた中間転写ベルト１３用のクリーニング部１５によってクリーニングされ、回収される。
【００３３】
二次転写部５の上方には定着部１６が備えられている。二次転写部５にて未定着トナー像を担持した用紙Ｐは定着部１６へと送られ、熱ローラと加圧ローラとによりトナー像が加熱、加圧されて定着される。
【００３４】
定着部１６の上方には用紙案内部１７が備えられている。定着部１６から排出された用紙Ｐは両面印刷を行わない場合、用紙案内部１７から画像形成装置１の上部に設けられた胴内用紙排出部１８に排出される。
【００３５】
用紙案内部１７から胴内用紙排出部１８に向かって用紙Ｐが排出されるその排出口部分はスイッチバック部１９としての機能を果たす。両面印刷を行う場合にはこのスイッチバック部１９において定着部１６から排出された用紙Ｐの搬送方向が切り替えられる。そして、用紙Ｐは用紙案内部１７を通過し、定着部１６の左方、及び転写部５の左方に設けられた両面印刷用用紙搬送路２０を通して下方に送られ、再度第１用紙搬送部４を経て二次転写部５へと送られる。
【００３６】
また、画像形成装置１は装置全体の動作制御のため、図２に示すようにその本体２内にＣＰＵ２２やその他の図示しない電子部品で構成された制御部２１を備えている。制御部２１はＣＰＵ２２を中央演算処理装置として使用し、制御部２１の内部メモリや記憶部２３などに記憶、入力されたプログラム、データに基づき画像読取部９、画像形成部１２、中間転写ベルト１３、定着部１６などといった構成要素を制御して一連の画像形成動作を実現する。
【００３７】
そして、画像形成装置１は複数の外部通信装置との通信を行うための通信部２４を備えている。通信部２４は電話回線やネットワーク回線が接続され、これら回線を利用して外部通信装置と画像データなどの授受を行う。なお、外部の通信装置としては他の画像形成装置やファクシミリ装置、サーバ、複数のユーザ各々が使用するコンピュータなどが該当する。また、画像形成装置１はファクシミリ通信に関して、Ｆコード送信やパスワード送信などといった特定の送信元からの受信に限定する通信機能を備えている。画像形成装置１は自らの受信時における受信可否の判定条件を記憶部２３などに予め記憶、設定し、制御部２１がその判定条件に基づいて受信することにより送信元を限定している。
【００３８】
また、画像形成装置１はファクシミリ通信機能に関して、制御部２１に代行受信部２５を備えている。代行受信部２５は予め設定された他の通信装置との間で互いが受信不可状態になったとき通信部２４を介して相互に代行受信を行う。この他の通信装置としては、例えば図２に示すような他のファクシミリ装置１００が予め設定され、ファクシミリ装置１００に対する代行受信についての情報が記憶部２３などに記憶されている。なお、ファクシミリ装置１００には画像形成装置１に対する代行受信についての情報が記憶されている。
【００３９】
画像形成装置１やファクシミリ装置１００は、例えば受信データを一時的に蓄積する記憶部２３内のＲＡＭのメモリフル状態時やメンテナンス時、用紙詰まり等のエラー発生時、或いは通信中で回線が塞がっているときなど、データを受信できない状態になり得る。この受信不可状態になったことを、記憶部内のＲＡＭの状態把握やエラー発生検知部（各種センサ）の出力に基づき、制御部２１やファクシミリ装置１００内の制御部は検知する。
【００４０】
代行受信についての情報としては、例えば互いの電話番号やＩＰアドレスのほか、受信時における受信可否の判定条件の情報も含まれている。受信可否の判定条件の情報としては、例えばＦコード番号やパスワード情報、受信許可電話番号、受信拒否電話番号などが挙げられ、画像形成装置１及びその代行受信機である他のファクシミリ装置１００は互いのこれらの情報を共有して各々が記憶している。
【００４１】
また、画像形成装置１は、例えば図２に示すようにファクシミリ通信に関してＳＩＰ（Ｓｅｓｓｉｏｎ  Ｉｎｉｔｉａｔｉｏｎ  Ｐｒｏｔｏｃｏｌ）サーバの一種であるレジストラサーバ２００を備えた通信環境に接続されている。ＳＩＰサーバはＳＩＰと呼ばれるプロトコルを用いてＩＰ電話サービスなどで利用されている呼制御を実行するサーバであって、電話番号とＩＰアドレスを対応付けたり、相手を呼び出して繋いだりしている。
【００４２】
レジストラサーバ２００は画像形成装置１やファクシミリ装置１００の電話番号やＩＰアドレスなどといった登録情報をデータベースに保存するとともに、送信元が呼び出した相手先の電話番号をＩＰアドレスに変換して接続する動作を実行している。そして、このレジストラサーバ２００が外部通信網に接続され、画像形成装置１やファクシミリ装置１００はレジストラサーバ２００を経由して外部に対してファクシミリ通信を受信、送信する。
【００４３】
続いて、画像形成装置１のファクシミリ通信における代行受信に係る動作について、図２を用いて図３に示すフローに沿って説明する。図３は画像形成装置のファクシミリ通信における代行受信に係る動作を示すフローチャートである。
【００４４】
ここで、画像形成装置１とその代行受信の関係にある他のファクシミリ装置１００とは同等の機能の代行受信部を有するものとする。
【００４５】
また、前述のとおり画像形成装置１の記憶部２３等にはファクシミリ通信における受信可否の判定情報が予め記憶されている。受信可否の判定情報としては、画像形成装置１自らの受信時における受信可否の判定情報と、代行受信の関係にあるファクシミリ装置１００の受信時における受信可否の判定情報とが記憶されている。ファクシミリ装置１００の受信時における受信可否の判定情報が変更されたとき、ファクシミリ装置１００或いはレジストラサーバ２００から連絡を受け、制御部２１は変更されたことを条件としてその変更された判定条件を記憶部２３等に記憶させる。これにより、ファクシミリ装置１００に関して最新の受信可否の判定情報に基づいて受信することができる。
【００４６】
なお、画像形成装置１の起動直後はファクシミリ装置１００の受信状態が把握できていないので、記憶部２３等に記憶されているファクシミリ装置１００の受信時における受信可否の判定情報が無効の状態になっている。
【００４７】
そして、画像形成装置１を起動させると（図３のスタート）、制御部２１は代行受信機であるファクシミリ装置１００にプレゼンス、すなわち受信可否状態を通知する（ステップ＃１０１）。このとき、制御部２１が通信部２４を介してファクシミリ装置１００からもファクシミリ装置１００の受信可否状態の通知を受けることで相互通知が実行される。
【００４８】
次に、制御部２１は画像形成装置１自らが受信不可状態であるか否かを判定する（ステップ＃１０２）。画像形成装置１が受信不可状態ではないとき（ステップ＃１０２のＮｏ）、すなわち正常に受信できるとき、制御部２１は相互に代行受信を行うファクシミリ装置１００が受信不可状態であるか否かを判定する（ステップ＃１０３）。ファクシミリ装置１００が受信不可状態ではないとき（ステップ＃１０３のＮｏ）、すなわち正常に受信できるとき、再びステップ＃１０１に戻り、制御部２１はファクシミリ装置１００との間で相互にプレゼンスの通知を行う。
【００４９】
ステップ＃１０３においてファクシミリ装置１００が受信不可状態であるとき（ステップ＃１０３のＹｅｓ）、制御部２１は予め記憶部２３等に記憶されたファクシミリ装置１００の受信時における受信可否の判定情報を有効の状態にする（ステップ＃１０４）。したがって、自らの受信可否の判定情報に基づく受信に加えて、ファクシミリ装置１００における受信可否の判定情報に基づいて受信することもできるようになる。なおこのとき、ファクシミリ装置１００では、レジストラサーバ２００に対して自らの電話番号をファクシミリ装置１００にとっての代行受信機である画像形成装置１のＩＰアドレスで登録させている。
【００５０】
そして、ファクシミリ装置１００に対してファクシミリ送信がなされたとき、制御部２１は代行受信を実行する（ステップ＃１０５）。制御部２１は画像形成装置１の受信時における受信可否判定時、ステップ＃１０４で有効にしたファクシミリ装置１００における受信可否の判定情報も加えて受信可否の判定を実行する。この代行受信はファクシミリ装置１００が受信不可状態である間、続けて実行される（ステップ＃１０６のＹｅｓ）。
【００５１】
ファクシミリ装置１００からプレゼンス通知を受けるなどして、ステップ＃１０６においてファクシミリ装置１００の受信不可状態の解除が確認されると（ステップ＃１０６のＮｏ）、制御部２１はファクシミリ装置１００の受信時における受信可否の判定情報を無効の状態にする（ステップ＃１０７）。これにより、ファクシミリ装置１００が正常に戻り受信可能になったとき、直ちにファクシミリ装置１００に関する受信を画像形成装置１で行わないようにすることができる。
【００５２】
そして、制御部２１はステップ＃１０５の代行受信中に受信したファクシミリ装置１００に対する受信情報を受信時と同条件でファクシミリ装置１００に対して送信する（ステップ＃１０８）。これにより、ファクシミリ装置１００が正常に戻り受信可能になったとき、ファクシミリ装置１００に関する代行受信中の受信情報が直ちにファクシミリ装置１００に送信される。次に、再びステップ＃１０１に戻り、制御部２１はファクシミリ装置１００との間で相互にプレゼンスの通知を行う。
【００５３】
一方、ステップ＃１０２において画像形成装置１が受信不可状態であるとき（ステップ＃１０２のＹｅｓ）、制御部２１は画像形成装置１のプレゼンスを「受信不可」に設定する（ステップ＃１０９）。そして、制御部２１はこの受信不可状態となった時点で通信部２４を介して画像形成装置１の受信可否の判定情報をファクシミリ装置１００に通知する（ステップ＃１１０）。これにより、画像形成装置１の最新の受信可否の判定情報をファクシミリ装置１００が有することになる。
【００５４】
次に、制御部２１はレジストラサーバ２００に対して画像形成装置１自らの電話番号を代行受信機であるファクシミリ装置１００のＩＰアドレスで登録させる（ステップ＃１１１）。このとき、代行受信機であるファクシミリ装置１００では画像形成装置１の受信時における受信可否の判定情報を有効の状態にしている。したがって、ファクシミリ装置１００は自らの受信可否の判定情報に基づく受信に加えて、画像形成装置１における受信可否の判定情報に基づいて受信することもできるようになる。このファクシミリ装置１００による代行受信は画像形成装置１が受信不可状態である間、続けて実行される（ステップ＃１１２のＹｅｓ）。
【００５５】
ステップ＃１１２において画像形成装置１の受信不可状態が解除されると（ステップ＃１１２のＮｏ）、制御部２１は画像形成装置１のプレゼンスを「受信可」に設定する（ステップ＃１１３）。そして、制御部２１はレジストラサーバ２００に対して画像形成装置１自らの電話番号を画像形成装置１のＩＰアドレスで再登録させる（ステップ＃１１４）。このとき、代行受信機であるファクシミリ装置１００では画像形成装置１の受信時における受信可否の判定情報を無効の状態にしている。続いて、再びステップ＃１０１に戻り、制御部２１はファクシミリ装置１００との間で相互にプレゼンスの通知を行う。
【００５６】
このようにして、上記実施形態の構成によれば、受信不可状態になったときに他のファクシミリ装置１００と相互に代行受信を行う通信装置である画像形成装置１において、Ｆコード送信やパスワード送信などといった特定の送信元からの受信に限定する通信を行う場合でも正常に受信することが可能になる。
【００５７】
以上、本発明の実施形態につき説明したが、本発明の範囲はこれに限定されるものではなく、発明の主旨を逸脱しない範囲で種々の変更を加えて実施することができる。
【００５８】
例えば、本発明の上記実施形態において、通信装置がファクシミリ通信機能を搭載した画像形成装置１であることとしたが、通信装置は通常のファクシミリ装置や電話機などであっても構わない。そして、画像形成装置１が置かれた通信環境にレジストラサーバ２００を備え、画像形成装置１やファクシミリ装置１００はレジストラサーバ２００を経由して外部に対してファクシミリ通信を受信、送信することとしたが、レジストラサーバ２００等のサーバを備えていない通信環境であっても良い。
【００５９】
また、上記実施形態における画像形成装置１は、中間転写ベルトを用いてトナー像を用紙に転写するカラー印刷用の画像形成装置であるが、発明の適用対象となる画像形成装置がこのような種類に限定されるわけではなく、中間転写ベルトを用いない画像形成装置や白黒印刷用の画像形成装置であっても構わない。
【産業上の利用可能性】
【００６０】
本発明は、ファクシミリ装置や電話機などの他の装置と相互に代行受信を行う通信装置において利用可能である。
【符号の説明】
【００６１】
１    画像形成装置（通信装置）
２１  制御部
２３  記憶部
２４  通信部
１００  ファクシミリ装置（他の通信装置）
２００  レジストラサーバ
【図１】
0005244873.tif 000002
【図２】
0005244873.tif 000003
【図３】
0005244873.tif 000004